(57)【特許請求の範囲】
【請求項１】
手摺支柱を挿入する芯金パイプに、支持ボルトの頭部と、それに螺入されるナットとを嵌め込み、ナットを芯金パイプの下端に溶接することにより芯金パイプと支持ボルトとを手摺支柱の支持部材として一体に組み合わせ、建物躯体には、芯金パイプから突出する支持ボルトの下端部が埋め込まれる小径の深孔と、芯金パイプの下端部が埋め込まれる大径の浅孔とからなる段状の差し孔を開け、深孔と浅孔とをそれぞれ一回り大きく形成することにより、その差し孔において支持ボルトおよび芯金パイプとの間に生じた隙間に、硬化性の流動材を充填したことを特徴とする差し形式による手摺支柱の立設装置。
【請求項２】
差し孔に差し込んだ芯金パイプに手摺支柱を挿入するにつき、建物躯体の上面よりも浮かして手摺支柱を芯金パイプに固定し、浮かした間をキャップにより封じてあることを特徴とする請求項１記載の差し形式による手摺支柱の立設装置。
【発明の詳細な説明】
【０００１】
【産業上の利用分野】
この発明は、パラペット等のコンクリートの建物躯体に差し孔を穿設して、それにより手摺支柱を立てる差し形式による手摺支柱の立設装置に関する。
【０００２】
【従来の技術】
手摺は、一般的に工場において組み立てられ、現場においてその手摺支柱を所定の箇所に立設することにより据え付けられる。この手摺支柱を立設するには、従来から、種々の手段が取られており、建物躯体に差し孔を開ける場合がその一態様である。
【０００３】
従来、差し孔の穿設については、手摺支柱が挿入される芯金パイプを差し込むための場合と、芯金パイプに相当する支持ボルトを差し込むための場合と、手摺支柱そのものを差し込むための場合とがあり、このように埋め込む部材の違いによりそれぞれ径が異なっていた。
【０００４】
【発明が解決しようとする課題】
上記のような従来の差し形式による手摺支柱の立設装置のうち、差し孔が芯金パイプや手摺支柱を埋める場合であると、必要な強度が得られやすいが、大径であるために孔の穿設に苦労が強いられ、作業性が悪かった。しかも、手摺の立設箇所がパラペットであると、大径の孔によりその強度を喪失するために、必ずしも必要な強度が得られるとは限らなかった。
【０００５】
差し孔が支持ボルトを埋める小径の場合であると、深い孔の穿設が比較的容易ではあるが、支持ボルトが細く曲がりやすいために、手摺支柱を支持する必要強度が得られ難く、また、深く穿設すると、コンクリートの鉄筋に突き当たる不都合があつた（パラペットの場合、かぶり厚さが３ｃｍ程度である）。
【０００６】
この発明は、上記のような実情に鑑みて、手摺支柱を立設するための差し孔の穿設作業が容易となり、また、手摺支柱を支持する必要強度が得られる差し形式による手摺支柱の立設装置を提供することを目的とした。
【０００７】
【課題を解決するための手段】
上記の目的を達成するための本発明の構成は、手摺支柱を挿入する芯金パイプに、支持ボルトの頭部と、それに螺入されるナットとを嵌め込み、ナットを芯金パイプの下端に溶接することにより芯金パイプと支持ボルトとを手摺支柱の支持部材として一体に組み合わせ、建物躯体には、芯金パイプから突出する支持ボルトの下端部が埋め込まれる小径の深孔と、芯金パイプの下端部が埋め込まれる大径の浅孔とからなる段状の差し孔を開け、深孔と浅孔とをそれぞれ一回り大きく形成することにより、その差し孔において支持ボルトおよび芯金パイプとの間に生じた隙間に、硬化性の流動材を充填して成るものである。
【０００８】
差し孔に差し込んだ芯金パイプに手摺支柱を挿入するにつき、建物躯体の上面よりも浮かして手摺支柱を芯金パイプに固定し、浮かした間をキャップにより封じてあることが好ましい。
【０００９】
【作  用】
差し形式による手摺支柱の立設装置を上記のように構成したから、差し孔を小径の深孔と大径の浅孔とに分けて穿設するために、その作業が非常に容易であり、しかも、深く大きな孔とはならないので、コンクリートを弱めることもなく、手摺支柱を支持する必要強度が得られやすい。
【００１０】
加えて、その強度については、手摺支柱を支持する部材が支持ボルトと芯金パイプとの二重構造であり、しかも、支持ボルトが深い埋め込みにより芯金パイプを支持し、且つ、芯金パイプも埋め込まれるために、支持ボルトが曲がるということもなくなる。従って、手摺支柱を浮かしても（請求項２）、必要強度が保持される。
【００１１】
【実施例】
次に、この発明の実施例を図面に基づいて説明する。
【００１２】
図面は、一実施例を示したもので、その差し形式による手摺支柱の立設装置は、建物躯体としてのコンクリートのパラペットＰに、差し孔１を穿設し、それに支持ボルト３と芯金パイプ５とを差し込み、手摺支柱７が芯金パイプ５に嵌めて支持されている（図１，図３）。
【００１３】
差し孔１の穿設については、ドリルにより支持ボルト３を差し込む深孔９を開け、次にその深孔９を中心にして芯金パイプ５を差し込む大径の浅孔１１を開け、それぞれ支持ボルト３および芯金パイプ５よりも一回り大きく形成する。
【００１４】
芯金パイプ５と支持ボルト３とは一体となっており、一体化の手段として、支持ボルト３にナット１３を螺入し、頭部１２とナット１３とを芯金パイプ５に挿入し、芯金パイプ５の下端においてナット１３を内面に溶接してある。従って、支持ボルト３を回転することにより、芯金パイプ５から突出する長さが調整され得る。
【００１５】
手摺支柱７を立設するには、まず、差し孔１に芯金パイプ５を支持ボルト３と共に差し込み、次に、芯金パイプ５に手摺支柱７を挿入する。この場合、パラペットＰの上面から少し手摺支柱７を浮かした状態において、側部で固定ビス１５により止める。これで、手摺支柱７が浮いた間１４に差し孔１が開口しているので、ここから硬化性の流動材１６を注入する。
【００１６】
パラペットＰの上は、コンクリート面であるために均一ではないから、手摺支柱７をこのように浮かすようにすると、手摺支柱７の高さを微妙に調整することができ、また、硬化性の流動材１６の注入時に、手摺支柱７を正確な位置に設定して直立の姿勢に保持しやすい。硬化性の流動材１６としてエポキシ樹脂の接着剤を使用したが、無収縮性のモルタル等を使用することもできる。
【００１７】
差し孔１は二段であることから、下の深孔９への流動材１６の注入が困難であることから、予め深孔９へそれを注入しておいてから、支持ボルト３を挿入し、不足分を手摺支柱７との間１４から注入するようにすることが望ましい。
【００１８】
手摺支柱７に二分割式のキャップ１７を嵌合させることにより、差し孔１を封じるが、これにより手摺支柱７との間１４も同時に見えないように隠される。
【００１９】
【発明の効果】
以上説明したように、この発明によれば、差し孔を小径の深孔と大径の浅孔とに分けて穿設するために、差し孔を開ける作業性が良好となり、また、手摺支柱を支持する部材が支持ボルトと芯金パイプとの二重構造であり、しかも、支持ボルトが深い埋め込みにより芯金パイプを支持し、且つ、芯金パイプも埋め込まれるために、支持ボルトが曲がるということもなく、殊に、パラペットの場合、コンクリートを差し孔で弱めることもないので、手摺支柱を強力に支持することができる。
【００２０】
手摺支柱を浮かしたときには（請求項２）、硬化性の流動材の注入に都合が良いだけでなく、手摺支柱を直立に立てやすい。また、手摺支柱をこのように浮かしても必要強度が保持される。
【図面の簡単な説明】
【図１】この発明の差し形式による手摺支柱の立設装置を示す側面から見た要部断面図である。
【図２】同装置の分解斜視図である。
【図３】図１のＡ−Ａ線矢視の拡大断面図である。
【符号の説明】
Ｐ  建物躯体としてのパラペット
１  差し孔
３  支持ボルト
５  芯金パイプ
７  手摺支柱
９  深孔
１１  浅孔
１２  頭部
１３  ナット
１４  浮かした間
１６  硬化性の流動材
１７  キャップ
【図１】
0003729926.tif 000002
【図２】
0003729926.tif 000003
【図３】
0003729926.tif 000004